(57)【要約】【課題】破損などで焦点合わせを確実に行えない部分のある光ディスクに対しても、より安定的にデータの記録や再生を行え、かつ、データの記録要求または再生要求に対する応答の遅延を低減させられるようにする。【解決手段】焦点制御部１４５は、反射レーザ光の強度に応じて、対物レンズ２５を光ディスクの記録面に垂直方向に移動させて、レーザ光の焦点位置を光ディスクの記録面に合わせる制御を行う。また、制御可能／不可位置判定部１４７は、対物レンズ２５からの照射光が光ディスクの記録面に合焦している度合いを数値化した数値化データを数値化データ記憶部１７９から読み出して、焦点制御部１４５の制御の可否を判定する。制御可能／不可位置判定部１４７が、焦点制御部１４５の制御不可と判定したときは、制御切替部１４９が、制御可能位置確保部１４８に、対物レンズ２５を、焦点制御部１４５が制御可能な範囲内に位置させる処理を行わせる。【選択図】図１２
2013152773.tif 000002
【特許請求の範囲】
【請求項１】
レーザ光を出力するレーザ光発生器と、
前記レーザ光発生器が出力した前記レーザ光を集光する対物レンズと、
前記対物レンズが集光した前記レーザ光が光ディスクにて反射した反射レーザ光の強度を検出する光センサと、
前記対物レンズを光ディスクの記録面に対して垂直方向に移動させるレンズ駆動部と、
前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御部と、
前記レンズ駆動部に、前記焦点制御部が制御可能な範囲内に前記対物レンズを位置させる制御可能位置確保部と、
前記対物レンズからの照射光が前記光ディスクの記録面に合焦している度合いを数値化した数値化データを生成する合焦レベル数値化部と、
前記光ディスクの半径方向の位置を示す半径位置情報を生成する半径位置情報生成部と、
前記光ディスクの回転角を示す回転角情報を生成する回転角情報生成部と、
前記半径位置情報と前記回転角情報とで特定される前記光ディスクの位置における前記数値化データと、当該半径位置情報と当該回転角情報とを対応付けて記憶する数値化データ記憶部と、
前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御部の制御の可否を判定する制御可能／不可位置判定部と、
前記制御可能／不可位置判定部が、前記焦点制御部の制御可能と判定した場合は、前記焦点制御部に前記制御を行わせ、前記焦点制御部の制御不可と判定した場合は、前記制御可能位置確保部に、前記対物レンズを、前記焦点制御部が制御可能な範囲内に位置させる処理を行わせる制御切替部と、
を具備することを特徴とする光ディスク装置。
【請求項２】
前記制御可能／不可位置判定部は、前記数値化データ記憶部が前記数値化データを記憶する際、前記合焦レベル数値化部が生成した前記数値化データに基づいて、前記焦点制御部の制御の可否を判定することを特徴とする請求項１に記載の光ディスク装置。
【請求項３】
前記対物レンズを前記光ディスクの半径方向に移動させる半径方向移動部を具備し、
前記半径位置情報生成部は、前記半径方向移動部が前記対物レンズを前記光ディスクの半径方向に移動させた移動量に基づいて、前記光ディスクの半径方向における前記対物レンズの位置を検出する
ことを特徴とする請求項１または２に記載の光ディスク装置。
【請求項４】
レーザ光を出力するレーザ光発生器と、
前記レーザ光発生器が出力した前記レーザ光を集光する対物レンズと、
前記対物レンズが集光した前記レーザ光が光ディスクにて反射した反射レーザ光の強度を検出する光センサと、
前記対物レンズを光ディスクの記録面に対して垂直方向に移動させるレンズ駆動部と、
前記光ディスクの半径方向の位置を示す半径位置情報を生成する半径位置情報生成部と、
前記光ディスクの回転角を示す回転角情報を生成する回転角情報生成部と、
前記半径位置情報と前記回転角情報とで特定される前記光ディスクの位置における前記数値化データと、当該半径位置情報と当該回転角情報とを対応付けて記憶する数値化データ記憶部と、
を具備する光ディスク装置の対物レンズ制御方法であって、
前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、
前記レンズ駆動部に、前記焦点制御にて制御可能な範囲内に前記対物レンズを位置させる制御可能位置確保ステップと、
前記対物レンズからの照射光が前記光ディスクの記録面に合焦している度合いを数値化した数値化データを生成する合焦レベル数値化ステップと、
前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、
前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、
を具備することを特徴とする対物レンズ制御方法。
【請求項５】
レーザ光を出力するレーザ光発生器と、
前記レーザ光発生器が出力した前記レーザ光を集光する対物レンズと、
前記対物レンズが集光した前記レーザ光が光ディスクにて反射した反射レーザ光の強度を検出する光センサと、
前記対物レンズを光ディスクの記録面に対して垂直方向に移動させるレンズ駆動部と、
前記光ディスクの半径方向の位置を示す半径位置情報を生成する半径位置情報生成部と、
前記光ディスクの回転角を示す回転角情報を生成する回転角情報生成部と、
前記半径位置情報と前記回転角情報とで特定される前記光ディスクの位置における前記数値化データと、当該半径位置情報と当該回転角情報とを対応付けて記憶する数値化データ記憶部と、
を具備する光ディスク装置を制御するコンピュータに、
前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、
前記レンズ駆動部に、前記焦点制御にて制御可能な範囲内に前記対物レンズを位置させる制御可能位置確保ステップと、
前記対物レンズからの照射光が前記光ディスクの記録面に合焦している度合いを数値化した数値化データを生成する合焦レベル数値化ステップと、
前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、
前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、
を実行させるためのプログラム。
【発明の詳細な説明】
【技術分野】
【０００１】
本発明は、光ディスク装置、対物レンズ制御方法およびプログラムに関する。
【背景技術】
【０００２】
光ディスク装置の焦点制御において、反射率がある一定の範囲（規格内）にある場合には、焦点合わせを正常に行うことが可能である。しかし、光ディスク（光ディスク媒体）の経年劣化や傷、保管環境による反射率の変化、あるいは破損などの影響で焦点合わせを確実に行うことが出来なくなってしまうことがある。
【０００３】
これに対し、特許文献１に記載の光ディスク装置は、光ディスク回転用のスピンドルモータの回転に対応して発生する回転制御パルスに、光ディスクの周方向の分割ゾーンを対応付け、該回転制御パルスに基づいて該光ディスクの記録面上の欠陥部位置を特定するとともに、記録または再生時に該欠陥部位置を回避するか否かを判別する。記録または再生動作は、該特定した欠陥部位置を回避するように光ピックアップのビームスポットを移動させて行う。
これにより、光ディスク装置においてシークやジャンプの場合も安定なサーボ制御が可能とされている。
【先行技術文献】
【特許文献】
【０００４】
【特許文献１】特開２００６−１０７６８３号公報
【発明の概要】
【発明が解決しようとする課題】
【０００５】
しかしながら、特許文献１に記載の光ディスク装置は、欠陥部位置を回避するように光ピックアップのビームスポットを移動させるので、データの記録要求または再生要求に対する応答が遅くなってしまう。
【０００６】
本発明は、上述の課題を解決することのできる光ディスク装置、対物レンズ制御方法およびプログラムを提供することを目的としている。
【課題を解決するための手段】
【０００７】
この発明は上述した課題を解決するためになされたもので、本発明の一態様による光ディスク装置は、レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御部と、前記レンズ駆動部に、前記焦点制御部が制御可能な範囲内に前記対物レンズを位置させる制御可能位置確保部と、前記対物レンズからの照射光が前記光ディスクの記録面に合焦している度合いを数値化した数値化データを生成する合焦レベル数値化部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御部の制御の可否を判定する制御可能／不可位置判定部と、前記制御可能／不可位置判定部が、前記焦点制御部の制御可能と判定した場合は、前記焦点制御部に前記制御を行わせ、前記焦点制御部の制御不可と判定した場合は、前記制御可能位置確保部に、前記対物レンズを、前記焦点制御部が制御可能な範囲内に位置させる処理を行わせる制御切替部と、を具備することを特徴とする。
【０００８】
また、本発明の一態様による対物レンズ制御方法は、レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、を具備する光ディスク装置の対物レンズ制御方法であって、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、前記レンズ駆動部に、前記焦点制御にて制御可能な範囲内に前記対物レンズを位置させる制御可能位置確保ステップと、前記対物レンズからの照射光が前記光ディスクの記録面に合焦している度合いを数値化した数値化データを生成する合焦レベル数値化ステップと、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、を具備することを特徴とする。
【０００９】
また、本発明の一態様によるプログラムは、レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、を具備する光ディスク装置を制御するコンピュータに、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、前記レンズ駆動部に、前記焦点制御にて制御可能な範囲内に前記対物レンズを位置させる制御可能位置確保ステップと、前記対物レンズからの照射光が前記光ディスクの記録面に合焦している度合いを数値化した数値化データを生成する合焦レベル数値化ステップと、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、を実行させるためのプログラムである。
【発明の効果】
【００１０】
本発明によれば、経年劣化や傷、保管環境による反射率の変化、あるいは破損などの影響で、焦点合わせを確実に行うことが出来ない部分のある光ディスクに対しても、より安定的にデータの記録や再生を行うことができ、かつ、データの記録要求または再生要求に対する応答の遅延を低減させることができる。
【図面の簡単な説明】
【００１１】
【図１】本発明の一実施形態における光ディスク装置の概略構成を示すブロック図である。
【図２】同実施形態における光ディスクの構造の概略を示す説明図である。
【図３】同実施形態における光ヘッドの概略構成を示すブロック図である。
【図４】同実施形態における対物レンズの位置と、光センサが受光する反射光の強度との関係の例を示す説明図である。
【図５】同実施形態における焦点合わせ制御回路の概略構成を示すブロック図である。
【図６】同実施形態における、焦点制御部が行う自動焦点合わせを中断する必要がある例を示す説明図である。
【図７】同実施形態におけるポジションマップ回路の概略構成を示すブロック図である。
【図８】同実施形態において、メモリが記憶するポジションマップの例を示す説明図である。
【図９】同実施形態において、光ディスク装置の初期化動作を示すフローチャートである。
【図１０】同実施形態において、光ディスク装置がポジションマップを生成する処理手順を示すフローチャートである。
【図１１】同実施形態において、光ディスク装置が、光ディスクの記録再生領域に対するアクセスを行う際の処理手順を示すフローチャートである。
【図１２】本発明の最小構成を示す概略ブロック図である。
【発明を実施するための形態】
【００１２】
以下、図面を参照して、本発明の実施の形態について説明する。
図１は、本発明の一実施形態における光ディスク装置の概略構成を示すブロック図である。同図において、光ディスク装置１は、光ヘッド２０と、前置増幅器３０と、焦点合わせ制御回路４０と、トラック制御回路６０と、キャリッジ７１と、キャリッジガイドレール７２と、モーションジェネレータ７３と、フレキシケーブル７４と、波形整形回路７５と、ポジションカウンタ７６と、移動量カウンタ７７と、キャリッジ駆動回路７８と、ポジションマップ回路７９と、スピンドルモータ８０とを具備する。
【００１３】
光ディスク装置１は、光ディスク（光ディスク媒体）１０の装填を受けて、光ディスク１０へのデータの書込（記録）や、光ディスク１０からのデータの読出（再生）を行う。ただし、本発明の適用範囲は、光ディスクに対する記録および再生を行う光ディスク装置に限らない。再生専用の光ディスク装置や記録専用の光ディスク装置にも本発明を適用可能である。
【００１４】
図２は、光ディスク１０の構造の概略を示す説明図である。同図（ａ）は、光ディスク１０を反射面側から見た外形の概略を示す。同図（ｂ）は、光ディスク１０を反射面に対して垂直に切断した断面の概略を示す。同図（ｃ）は、光ディスク１０の校正領域に設けられた溝の形状の概略を示す。同図（ｄ）は、光ディスク１０の記録再生領域Ａ１２の構成の概略を示す。
【００１５】
同図（ａ）および（ｂ）に示すように、光ディスク１０は、同心円状もしくはスパイラル状に形成されたトラック方向の溝を有する記録再生領域Ａ１２と、光ディスクの所定の領域、例えば内周付近の一定領域に一定幅の半径方向の溝を形成した校正領域Ａ１１とを備える。
【００１６】
また、同図（ｄ）に示すように、記録再生領域Ａ１２は、記録層Ｙ１２を含んで構成されている。
記録層Ｙ１２は、例えば、金属膜の表面にて実現された反射面と、反射面の下側（光ディスク装置１に装填された際に、光ヘッド２０に近い側）に設けられた色素部分とを有する。そして、記録層Ｙ１２は、記録時（データ書込時）に、光ヘッド２０からレーザ光を照射されると、照射箇所の色素を変化（例えば変色）させることでデータを記憶する。この色素変化の有無に応じて、再生時（データ読出時）に光ヘッド２０からレーザ光を照射された際に、記録層Ｙ１２が反射する光の強度が異なる。従って、光ディスク装置１は、光ディスク１０をトラックに沿って走査して、反射光の強度の変化を検出することで、データを読み出すことができる。
【００１７】
校正領域Ａ１１は、例えば内周付近の幅３ｍｍの区間に設けられている。そして、同図（ｃ）に示すように、校正領域Ａ１１には、光ディスク１０の半径方向に複数の溝が形成されている。この溝の深さは、光ヘッド２０が光ディスク１０に照射するレーザ光の波長λの１／４となっている。また、この溝の間隔は、レーザ光の波長λと同じ間隔、または、波長λに近い間隔となっている。
【００１８】
光ヘッド２０が、この溝にレーザ光を照射した場合、溝の凹部からの反射光と、凸部からの反射光との位相差はλ／４×２＝λ／２となる。
同図（ｃ）に示す焦点ずれ時の光スポットＡ１６のように、光ヘッド２０からのレーザ光の焦点が光ディスク１０の記録面からずれて光スポットが広がった状態では、凹部からの反射光と凸部空の反射光とが互いに打ち消しあう。このため、線Ｌ１６にて示すように、焦点ずれ時においては、光ヘッド２０（の光センサ）が得る反射光は、比較的弱い光レベルのものとなっている。
【００１９】
一方、合焦時の光スポットＡ１５のように、光ヘッド２０からのレーザ光が光ディスク１０の記録面に合焦して光スポットが狭く、レーザ光が主に凹部に（または主に凸部に）照射される状態では、反射光の打ち消し合いの影響は限定的である。従って、線Ｌ１５にて示すように、合焦時においては、光ヘッド２０（の光センサ）が得る反射光は、比較的強い光レベルのものとなっている。
このように、光ディスク装置１は、校正領域Ａ１１の溝にレーザ光を照射することで、焦点制御用の反射光を得ることができる。
【００２０】
ただし、本発明の適用範囲は、図２に示す光ディスクに限らない。本発明では、レーザ光などの光を用いてデータを再生可能な様々な光ディスクを用いることができる。例えば、光ディスクの記録層は、上記のように反射面と色素層とを有するものに限らず、反射面に部分的な凹凸（ピット）を有し、凹凸にてレーザ光を乱反射させることで反射光の強度を変化させるものであってもよい。
【００２１】
スピンドルモータ８０は、光ディスク１０を回転させる。その際、スピンドルモータ８０は、所定角度回転する毎に矩形波を生成してポジションマップ回路７９に出力する。以下では、スピンドルモータ８０が出力する矩形波を「エンコーダ出力」と称する。このエンコーダ出力は、ポジションマップ回路７９が光ディスク１０の回転角度を検出して当該光ディスク１０における位置を特定するのに用いられる。
【００２２】
キャリッジ７１には、光ヘッド２０と、前置増幅器３０と、モーションジェネレータ７３とが取り付けられている。キャリッジガイドレール７２は、光ディスク１０の半径方向に設けられており、キャリッジ７１がキャリッジガイドレール７２に沿って移動することで、キャリッジ７１に取り付けられている各部（特に光ヘッド２０）が、光ディスク１０の半径方向に移動する。
【００２３】
モーションジェネレータ７３は、キャリッジ７１の移動に応じた矩形波（矩形波の電圧信号）を波形整形回路７５に出力する。ここで、モーションジェネレータ７３は、キャリッジ７１の移動方向に応じて、当該移動方向を示す矩形波を出力する。例えば、モーションジェネレータ７３は、キャリッジ７１が光ディスクの外周方向に所定の距離を移動する毎に正電圧の矩形波を出力し、キャリッジ７１が光ディスクの内周方向に所定の距離を移動する毎に負電圧の矩形波を出力する。
【００２４】
フレキシケーブル７４は、折り曲げ可能な電線を含んで構成され、キャリッジ７１に取り付けられている各部が出力する信号や、当該各部への信号を伝送する。
波形整形回路７５は、モーションジェネレータ７３からの矩形波を整形して（電圧変化を急峻にして）、整形された矩形波をポジションカウンタ７６と移動量カウンタ７７とに出力する。
【００２５】
ポジションカウンタ７６は、本発明における半径位置情報生成部の一例に該当し、モーションジェネレータ７３が波形整形回路７５を介して出力する矩形波を計数（カウント）して、キャリッジ７１の位置を示す数値（光ディスク１０の半径方向の位置を示す情報）を生成する。具体的には、モーションジェネレータ７３が出力した矩形波が、キャリッジ７１が光ディスク１０の外周方向に移動したことを示す場合、ポジションカウンタ７６はカウントアップを行う。また、モーションジェネレータ７３が出力した矩形波が、キャリッジ７１が光ディスク１０の内周方向に移動したことを示す場合、ポジションカウンタ７６は、カウントダウンを行う。
ポジションカウンタ７６は、生成した数値を、移動量カウンタ７７とポジションマップ回路７９とに出力する。
【００２６】
移動量カウンタ７７は、ポジションカウンタ７６からの数値に基づいて、キャリッジ７１の移動量を決定し、決定した移動量を示す情報をキャリッジ駆動回路７８に出力する。
キャリッジ駆動回路７８は、移動量カウンタ７７が決定した移動量を示す情報に基づいて、キャリッジ７１を光ディスク１０の半径方向に移動させる。このキャリッジ駆動回路７８は、本発明における半径方向移動部の一例に該当する。キャリッジ駆動回路７８は、キャリッジ７１を光ディスク１０の半径方向に移動させることで、キャリッジ７１に取り付けられている対物レンズ２５を光ディスク１０の半径方向に移動させる。
【００２７】
ここで、ポジションカウンタ７６は、本発明における半径位置検出部の一例に該当する。すなわち、ポジションカウンタ７６は、キャリッジ駆動回路７８が対物レンズ２５を光ディスク１０の半径方向に移動させた移動量に基づいて、前記光ディスクの半径方向における前記対物レンズの位置を検出する。
【００２８】
光ヘッド２０は、光ディスク１０にレーザ光を照射し、反射光の強度を測定する。
図３は、光ヘッド２０の概略構成を示すブロック図である。同図において、光ヘッド２０は、レーザ光発生器２１と、回折格子２２と、ハーフミラー２３と、コリメータレンズ２４と、対物レンズ２５と、光センサ２６と、焦点方向駆動コイル２７と、トラック方向駆動コイル２８とを具備する。
また、焦点方向駆動コイル２７は焦点合わせ制御回路４０に接続され、トラック方向駆動コイル２８は、トラック制御回路６０に接続されている。また、光センサ２６は、前置増幅器３０を介して焦点合わせ制御回路４０に接続されている。
【００２９】
レーザ光発生器２１は、所定の波長のレーザ光を照射（出力）する。
回折格子２２は、レーザ光発生器２１が照射したレーザ光を偏光して通過させる。また、回折格子２２は、反射光をレーザ光発生器２１に帰還させないように機能する。
ハーフミラー２３は、回折格子２２を通してレーザ光発生器２１から出力されたレーザ光を反射させて光ディスク１０に照射する。また、ハーフミラー２３は、光ディスク１０からの反射光を光センサ２６に透過させる。
【００３０】
コリメータレンズ２４は、拡散されたレーザ光を平行光に変換する。
対物レンズ２５は、レーザ光発生器２１が出力したレーザ光を集光する。この対物レンズ２５は、焦点方向（光ディスク１０の記録面に対して垂直方向）および光ディスク１０の半径方向に移動可能に設置されている。そして、対物レンズ２５は、焦点方向に移動することで照射光（光ディスク１０に照射されるレーザ光）の焦点の位置（光ディスク１０の記録面に対して垂直方向の位置）を変化させることができ、照射光の焦点を光ディスク１０の記録面に一致（合焦）させる。また、対物レンズ２５は、光ディスク１０の半径方向に移動することで照射光の焦点の位置（光ディスク１０の半径方向の位置）を変化させることができ、照射光を光ディスク１０のトラック軌道に合わせる。
【００３１】
光センサ２６は、対物レンズ２５が集光したレーザ光が、光ディスク１０にて反射した反射レーザ光の強度を検出する。具体的には、光センサ２６は、光ディスク１０からの反射光を受光して、光強度を示す電気信号に変換する。そして、光センサ２６は、得られた電気信号を、前置増幅器３０を介して焦点合わせ制御回路４０に出力する。
【００３２】
前置増幅器３０は、光センサ２６が電気信号に変換した信号を増幅し、増幅された信号を、光センサ信号（光センサ２６が検出した信号）として、フレキシケーブル７４を介して焦点合わせ制御回路４０とトラック制御回路６０とに出力する。なお、以下では、前置増幅器３０が出力する光センサ信号、および、当該信号の電位（電圧）を、いずれも「Ｖｓ」にて示す。
【００３３】
焦点合わせ制御回路４０は、前置増幅器３０からの光センサ信号Ｖｓに基づいて駆動信号を生成し、生成した駆動信号を焦点方向駆動コイル２７に出力する。焦点合わせ制御回路４０の、より詳細な説明については、図５を参照して後述する。
焦点方向駆動コイル２７は、本発明におけるレンズ駆動部の一例に該当し、焦点合わせ制御回路４０からの駆動信号に基づいて、対物レンズ２５を焦点方向に移動させる（対物レンズ２５と光ディスク１０との距離を変化させる）。
【００３４】
トラック制御回路６０は、光センサ信号Ｖｓに基づいて駆動信号を生成してトラック方向駆動コイル２８に出力する。
トラック方向駆動コイル２８は、トラック制御回路６０からの駆動信号に基づいて、対物レンズ２５を光ディスク１０の半径方向に移動させる。
【００３５】
図４は、対物レンズ２５の位置と、光センサ２６が受光する反射光の強度との関係の例を示す説明図である。同図の横軸は、対物レンズ２５の焦点方向の位置を示しており、右側ほど光ディスク１０に近く、左側ほど光ディスク１０から遠い。また、同図の縦軸は、前置増幅器３０が出力する光センサ信号の電位を示しており、上側ほど電位が大きく、下側ほど電位が小さい。
線Ｌ２１は、対物レンズ２５の位置と光センサ信号Ｖｓの電位との関係を示す。
【００３６】
また、電位Ｖｓｊは、レーザ光が光ディスク１０の記録面に合焦している場合の、光センサ信号Ｖｓの電位を示す。電位ＶｓｘおよびＶｓｙは、いずれも、レーザ光の焦点が光ディスク１０の記録面付近に位置する場合の、光センサ信号Ｖｓの電位を示す。電位Ｖｓｐは、焦点合わせ制御回路４０が自動焦点合わせ（対物レンズ２５の焦点方向の位置に応じて前置増幅器３０が出力する光センサ信号Ｖｓに基づく、対物レンズ２５の焦点方向の位置のフィードバック制御）を開始する際の電位として設定されている「自動焦点合わせ開始電位」を示す。光センサ信号Ｖｓの電位が自動焦点合わせ開始電位Ｖｓｐとなっている場合、焦点合わせ制御回路４０は、対物レンズ２５の焦点方向の位置が自動焦点合わせ開始位置となるように、焦点方向駆動コイル２７に駆動信号を出力する。この自動焦点合わせ開始位置は、焦点合わせ制御回路４０が自動焦点合わせを開始する際の、対物レンズ２５の焦点方向の位置である。
【００３７】
図４に示すように、レーザ光が光ディスク１０の記録面に合焦している場合に、光センサ信号Ｖｓの変位幅（高周波成分の振幅）が極大となる。この変位幅は、光ディスク１０の記憶するデータのビット（ｂｉｔ）値が「１」の箇所にレーザ光が照射されている場合の、光センサ信号Ｖｓの電位と、当該ビット値が「０」の箇所にレーザ光が照射されている場合の、光センサ信号Ｖｓの電位との差である。また、ビット値「１」の箇所は、例えば、図２で説明した色素層がレーザ光を透過させる箇所など、反射光強度が強い箇所である。ビット値「１」の箇所は、例えば、色素層がレーザ光を透過させない箇所など、反射光強度が弱い箇所である。
【００３８】
また、光センサ信号Ｖｓの変位幅は、レーザ光が光ディスク１０の記録面に合焦する際の対物レンズ２５の位置（以下、「合焦位置」と称する）の近くにある場合に大きく、対物レンズ２５が合焦位置から離れるに従って小さくなる。
また、対物レンズ２５が合焦位置から大きく離れると、例えば、対物レンズ２５の焦点方向の位置が変化しても光センサ信号Ｖｓの電位に検出可能な変化が現れなくなるなど、対物レンズ２５の焦点方向の位置と、光センサ信号Ｖｓの電位との間に１対１対応の関係を得られなくなる。そうすると、焦点合わせ制御回路４０が、自動焦点合わせ（光センサ信号Ｖｓに基づいて、レーザ光が光ディスク１０の記録面に合焦するように対物レンズ２５の焦点方向の位置を制御するフィードバック制御）を継続できなくなってしまう。
【００３９】
このように、対物レンズ２５の焦点方向の位置には、自動焦点合わせ可能な範囲がある。焦点合わせ制御回路４０は、この範囲の上限における光センサ信号Ｖｓの電位、または、下限における光センサ信号Ｖｓの電位、あるいはこれら両方を予め記憶しておくことで、自動焦点合わせ可能か否かを判定し得る。後述するように、本実施形態の焦点合わせ制御回路４０は、自動焦点合わせ可能な範囲の下限（光ディスク１０から最も遠い位置）を示す電位として、自動焦点合わせ開始電位Ｖｓｐを記憶している。
【００４０】
図５は、焦点合わせ制御回路４０の概略構成を示すブロック図である。同図において、焦点合わせ制御回路４０は、低域フィルタ４１と、高域フィルタ４２と、反射光ピークレベル判定器４３と、合焦位置補正バイアス生成器４４と、焦点レベル生成器４５と、レンズ位置判定回路４６と、マイクロコンピュータ４７と、初期焦点合わせ回路４８と、アナログスイッチ４９と、焦点方向駆動アンプ５０と、自動焦点合わせ開始電位以下検出回路（以下、「「Ｖｓｐ＞」検出回路」と称する）５１とを具備する。
【００４１】
焦点合わせ制御回路４０は、ディスクアクセスの初期化にて対物レンズ２５の初期位置制御を行う際、対物レンズ２５を合焦位置に移動させるための、フォーカスサーボの補正バイアス値を合焦位置補正バイアス生成器４４に保持する（記憶させる）。この初期位置制御の状態では、アナログスイッチ４９が、マイクロコンピュータ４７と焦点方向駆動アンプ５０とを接続する。そして、レンズ位置判定回路４６と、マイクロコンピュータ４７と、初期焦点合わせ回路４８と、アナログスイッチ４９と、焦点方向駆動アンプ５０との経路にて駆動信号を焦点方向駆動コイル２７に出力して、対物レンズ２５の位置制御を行う。
【００４２】
また、焦点合わせ制御回路４０は、記録再生領域Ａ１２へのアクセス時に、所定の波長のレーザ光を記録再生領域Ａ１２に照射して得られる反射光を用いて自動焦点合わせを行う。その際、焦点合わせ制御回路４０は、所定の波長のレーザ光に対応する補正バイアス値に基づいて生成した駆動信号を焦点方向駆動コイル２７に出力して、対物レンズ２５の位置制御を行う。この自動焦点合わせ状態では、アナログスイッチ４９が、焦点レベル生成器４５と焦点方向駆動アンプ５０とを接続する。そして、低域フィルタ４１と、焦点レベル生成器４５と、アナログスイッチ４９と、焦点方向駆動アンプ５０との経路にて駆動信号を焦点方向駆動コイル２７に出力して、対物レンズ２５の位置制御を行う。
【００４３】
低域フィルタ４１は、光センサ信号Ｖｓの低周波成分（直流成分）を通過させて、焦点レベル生成器４５と、「Ｖｓｐ＞」検出回路５１とに出力する。なお、以下では、光センサ信号Ｖｓの低周波成分、および、当該低周波成分の電位を、いずれも「Ｖｄｃ」にて示す。
高域フィルタ４２は、光センサ信号Ｖｓの高周波成分（交流成分）を通過させて、反射光ピークレベル判定器４３に出力する。なお、以下では、光センサ信号Ｖｓの高周波成分、および、当該高周波成分の電位を、いずれも「Ｖａｃ」にて示す。
【００４４】
反射光ピークレベル判定器４３は、ピークホールド回路にて、光センサ信号Ｖｓの高周波成分の電位Ｖａｃの最大レベル値（ピーク値）を保持（記憶）する。そして、反射光ピークレベル判定器４３は、当該ピーク値と現在値との違いを示す信号を生成し、ＡＤ変換器でＡＤ変換して合焦位置補正バイアス生成器４４に出力する。
【００４５】
合焦位置補正バイアス生成器４４は、対物レンズ２５の焦点位置（合焦点位置）を制御するための焦点レベル生成器４５に対し、光ディスク１０における反射率の違いを反映した反射光ピークレベル判定器４３のデータから、補正バイアスを生成する。そして、合焦位置補正バイアス生成器４４は、生成した補正バイアスを焦点レベル生成器４５に出力する。
【００４６】
焦点レベル生成器４５は、低域フィルが４１から出力される信号に基づいて、焦点レベル（対物レンズ２５からの照射光が光ディスク１０の記録面に合焦している度合い）を示す信号を出力する。なお、以下では、焦点レベル生成器４５が出力する信号、および、当該信号の電位を、いずれも「Ｖｏ」にて示す。
【００４７】
レンズ位置判定回路４６は、焦点レベル生成器４５からの信号Ｖｏに基づくデジタルデータを生成して、マイクロコンピュータ４７とポジションマップ回路７９とに出力する。
マイクロコンピュータ４７は、本発明における制御可能／不可位置判定部の一例に該当し、アナログスイッチ４９の切替を行う。また、マイクロコンピュータ４７は、ディスクアクセスの初期化にて対物レンズ２５の初期位置制御を行う際、焦点合わせ制御回路４０の各部を制御する。
初期焦点合わせ回路４８は、ディスクアクセスの初期化にて対物レンズ２５の初期位置制御を行う際、対物レンズ２５を焦点方向に移動させる駆動信号の元となる信号を、焦点方向駆動アンプ５０に出力する。
【００４８】
アナログスイッチ４９は、焦点方向駆動アンプ５０に信号を出力する回路を切り替える。
焦点方向駆動アンプ５０は、焦点レベル生成器４５または初期焦点合わせ回路４８から出力される信号に基づいて、対物レンズ２５を焦点方向に移動させる駆動信号を生成する（入力信号を増幅させる）。そして、焦点方向駆動アンプ５０は、当該駆動信号を焦点方向駆動コイル２７に出力する。
【００４９】
「Ｖｓｐ＞」検出回路５１は、本発明における強度判定部の一例である。この「Ｖｓｐ＞」検出回路５１は、光センサ２６が検出した反射レーザ光の強度が所定の閾値強度より小さいか否かを判定する。具体的には、「Ｖｓｐ＞」検出回路５１は、光センサ信号Ｖｓの電位（より正確には、低域フィルタ４１を通過した光センサ信号Ｖｓの直流成分Ｖｄｃの電位）が、自動焦点合わせ開始電位Ｖｓｐより小さいか否かを判定する。
【００５０】
なお、低域フィルタ４１と、焦点レベル生成器４５と、アナログスイッチ４９と、焦点方向駆動アンプ５０との組み合わせが、本発明における焦点制御部の一例に該当する。すなわち、これら各部の経路にて駆動信号を生成して焦点方向駆動コイル２７に出力することで、光センサ２６が検出した反射レーザ光の強度に応じて対物レンズ２５を光ディスクの記録面に対して垂直方向に移動させて、レーザ光の焦点位置を光ディスク１０の記録面に合わせる制御（自動焦点合わせ）を行う。
【００５１】
また、レンズ位置判定回路４６と、マイクロコンピュータ４７と、初期焦点合わせ回路４８と、アナログスイッチ４９と、焦点方向駆動アンプ５０との組み合わせが、本発明における制御可能位置確保部の一例に該当する。すなわち、これら各部の経路にて駆動信号を生成して焦点方向駆動コイル２７に出力することで、対物レンズ２５を、焦点制御部の一例に該当する上記各部（以下では、単に「焦点制御部」と称する）が制御可能な範囲内に位置させる。具体的には、これら各部は、対物レンズ２５を、自動焦点合わせ開始位置（焦点合わせ制御回路４０が自動焦点合わせを開始する際の、対物レンズ２５の位置）に位置させる。
【００５２】
また、アナログスイッチ４９は、本発明における制御切替部の一例に該当する。すなわち、アナログスイッチ４９は、光ディスク１０の記録面における、対物レンズ２５が集光したレーザ光の照射位置について、ポジションマップが、焦点制御部の制御可能を示す場合は、これら焦点制御部に前記制御を行わせる。一方、ポジションマップが、焦点制御部の制御不可を示す場合、アナログスイッチ４９は、制御可能位置確保部の一例に該当する上記各部（以下では、単に「制御可能位置確保部」と称する）に、焦点制御部が制御可能な範囲内に対物レンズ２５を位置させる処理を行わせる。
【００５３】
ここで、ポジションマップは、本発明における数値化データの一例である。この数値化データは、光ディスク１０の記録面のうち焦点制御部が制御を行える部分を示す情報である。この、光ディスク１０の記録面のうち焦点制御部が制御を行える部分について図６を参照して説明する。
【００５４】
図６は、焦点制御部が行う自動焦点合わせを中断する必要がある例を示す説明図である。同図おいて、光ディスク装置１は、焦点制御部にて自動焦点合わせを行って、光ディスク１０の内周側から外周側へアクセス（記録または再生）する。その際、光ディスク１０の記録面上にダメージ箇所Ｐ３１がある。光ヘッド２０が、ダメージ箇所Ｐ３１にレーザ光を照射している状態では、光ディスク１０からの反射光の強度が著しく低下し、線Ｌ３１で示される光センサ信号Ｖｓの電位が低下している。
【００５５】
ここで、図４を参照して説明したように、対物レンズ２５の焦点方向の位置には、自動焦点合わせ可能な範囲があり、これに対応して光センサ信号Ｖｓの電位にも自動焦点合わせ可能な範囲がある。
ダメージ箇所Ｐ３１において光センサ信号Ｖｓの電位が自動焦点合わせ可能な範囲よりも低下した場合、焦点制御部が当該光センサ信号Ｖｓに基づいて自動焦点合わせを行うと、対物レンズ２５の焦点方向の位置が自動焦点合わせ可能な範囲を外れて光ディスク１０から遠ざかってしまう。
【００５６】
一旦、対物レンズ２５の焦点方向の位置が自動焦点合わせ可能な範囲を外れてしまうと、対物レンズ２５がダメージ箇所Ｐ３１を通過した後（従って、照射光がダメージ箇所Ｐ３１を通過した後）も、光センサ信号Ｖｓの電位は、自動焦点合わせ可能な範囲よりも低下したままとなる。そのため、対物レンズ２５がダメージ箇所Ｐ３１を通過した後も、焦点制御部は、自動焦点合わせを再開する（対物レンズ２５の焦点方向の位置を適切に制御する）ことができない。
【００５７】
そこで、ダメージ箇所Ｐ３１通過後に自動焦点合わせを再開可能にするために、光ディスク装置１は、光センサ信号Ｖｓが自動焦点合わせ可能な範囲を外れることを検出すると、焦点制御部の自動焦点合わせを中断して、対物レンズ２５の焦点方向の位置を自動焦点合わせ可能な範囲内に保持する。
【００５８】
具体的には、「Ｖｓｐ＞」検出回路５１は、光センサ信号Ｖｓの電位が、自動焦点合わせ可能な下限値電位に合わせて設定されている（本実施形態では、下限値電位から余裕分だけ高い電位に設定されている）自動焦点合わせ開始電位Ｖｓｐより小さいか否かを判定する。そして、「Ｖｓｐ＞」検出回路５１が、光センサ信号Ｖｓの電位が自動焦点合わせ開始電位Ｖｓｐより小さいと判定（検出）すると、アナログスイッチ４９が、焦点方向駆動アンプ５０への出力経路を初期焦点合わせ回路４８側に切り替える。当該切替にて、初期焦点合わせ回路４８と焦点方向駆動アンプ５０とが接続され、制御可能位置確保部が構成される。この制御可能位置確保部は、対物レンズ２５の焦点方向の位置を自動焦点合わせ開始位置に保持する。
【００５９】
光センサ信号Ｖｓの電位が再び自動焦点合わせ開始電位Ｖｓｐ以上となったことを、「Ｖｓｐ＞」検出回路５１が検出すると、アナログスイッチ４９が、焦点方向駆動アンプ５０への出力経路を焦点レベル生成器４５に切り替える（戻す）。当該切替にて、焦点制御部が構成される。この場合、対物レンズ２５が焦点制御範囲内にあるので、焦点制御部は、レーザ光の焦点を光ディスク１０に合わせることができる。従って、光ディスク装置１は、光ディスク１０のダメージを受けた箇所を回避しながら焦点合わせを継続して行うことができる。
【００６０】
このように、光ディスク１０の記録面のうち、光センサ信号Ｖｓの電位が自動焦点合わせ可能な範囲内の電位となる部分（本実施形態では、自動焦点合わせ開始電位Ｖｓｐ以上となる部分）が、焦点制御部が制御を行える部分に該当する。
そして、数値化データは、光ディスク１０の記録面のうち焦点制御部が制御を行える部分として、光センサ信号Ｖｓの電位が自動焦点合わせ可能な範囲内の電位となる部分を、数値化された焦点レベルのデータにて示す。
【００６１】
ポジションマップ回路７９は、数値化データの一例としてのポジションマップの管理（記憶および読み出し）を行う。このポジションマップ回路７９は、本発明における数値化データ記憶部の一例に該当する。
図７は、ポジションマップ回路７９の概略構成を示すブロック図である。同図において、ポジションマップ回路７９は、カウンタ７９１と、メモリ７９２とを具備する。
【００６２】
カウンタ７９１は、スピンドルモータ８０からのエンコーダ出力を計数して、光ディスク１０の回転角度を示す情報を生成する。以下では、カウンタ７９１が生成するエンコーダ出力の計数値を、「エンコーダ出力カウント値」と称する。
メモリ７９２は、例えば半導体メモリなどの記憶デバイスで実現され、ポジションマップを記憶する。
【００６３】
図８は、メモリ７９２が記憶するポジションマップの例を示す説明図である。同図において、ポジションマップは、ポジションカウント値（ポジションカウンタ７６の出力）毎の行とエンコーダ出力カウント値毎の列とを有し、各欄に、光センサ２６の電気信号の強弱を示す数値（本実施形態では、光センサ信号Ｖｓに基づいて生成される焦点レベル生成器４５の出力信号ＶｏをＡＤ変換し得られたレンズ位置判定回路４６の出力）を格納している。
【００６４】
ここで、ポジションカウント値は、光ディスク１０上の半径方向の位置を示す。また、エンコーダ出力カウント値は、光ディスク１０の回転角度（スピンドルモータ８０の回転角度）を示す。従って、ポジションカウント値とエンコーダ出力カウント値との組み合わせで、光ディスク１０における位置を特定可能であり、ポジションマップは、光ディスク１０の各位置について、光センサ信号の強弱を示す数値を格納している。
このポジションマップは、焦点制御部が、光ディスク１０の傷や破損等で焦点制御（自動焦点合わせ）を行える部分と行えない部分とを区別するために用いられる。
【００６５】
メモリ７９２は、例えば、ポジションカウント値を上位ビット（Ｂｉｔ）とし、エンコーダ出力カウント値を下位ビットとしたアドレス（以下、「ポジションマップアドレス」と称する）と、レンズ位置判定回路４６の出力とを対応付けて記憶することで、ポジションマップを記憶する。
【００６６】
なお、ポジションマップ回路７９は、本発明における合焦レベル数値化部の一例に該当し、光センサ２６が検出した反射レーザ光の強度に基づいてポジションマップを生成して記憶する（ポジションマップ回路７９に記憶させる）。より具体的には、ポジションマップ回路７９は、ポジションカウンタ７６が検出した光ディスク１０の半径方向における対物レンズ２５の位置に基づいて特定された光ディスク１０の記録面における位置の位置情報（ポジションマップアドレス）と、当該位置において焦点制御部が制御（自動焦点合わせ）を行えるか否かを示す情報（レンズ位置判定回路４６の出力）とを対応付けてポジションマップを生成する。
【００６７】
また、本発明における制御切替部の一例であるアナログスイッチ４９は、レンズ位置判定回路４６がポジションマップを生成する際（信号Ｖｏに基づくデジタルデータを生成してポジションマップ回路７９に記憶させる際）、「Ｖｓｐ＞」検出回路５１が、光センサが検出した反射レーザ光の強度が所定の閾値強度より小さいと判定すると（具体的には、光センサ信号Ｖｓの電位が自動焦点合わせ開始電位Ｖｓｐより小さいと判定すると）、対物レンズ２５を焦点制御部が制御可能な範囲内（自動焦点合わせ開始位置）に位置させる処理を制御可能位置確保部に行わせる。一方、「Ｖｓｐ＞」検出回路５１が、光センサが検出した反射レーザ光の強度が所定の閾値強度以上であると判定すると、アナログスイッチ４９は、焦点制御部に制御（自動焦点合わせ）を行わせる。
【００６８】
また、アナログスイッチ４９は、ポジションカウンタ７６が検出した光ディスク１０の半径方向における対物レンズ２５の位置に基づいてポジションマップ回路７９から読み出されたポジションマップに基づいて、焦点制御部に制御（自動焦点合わせ）を行わせるか、対物レンズ２５を焦点制御部が制御可能な範囲内に位置させる処理を制御可能位置確保部に行わせるかの切替を行う。
【００６９】
また、焦点レベル生成器４５と、レンズ位置判定回路４６とのとの組み合わせが、本発明における合焦レベル数値化部１４６の一例に該当する。すなわち、焦点レベル生成器４５と、レンズ位置判定回路４６とで、対物レンズ２５からの照射光が光ディスクの記録面に合焦している度合いを数値化した数値化データとして、焦点レベルを示す信号Ｖｏを数値化したデータを生成する。
【００７０】
また、スピンドルモータ８０と、ポジションマップ回路７９のカウンタとの組み合わせが、本発明における回転角情報生成部の一例に該当し、光ディスクの回転角を示す回転角情報として、カウント値を生成する。
【００７１】
次に、図９〜図１３を参照して、光ディスク装置１の動作について説明する。
図９は、光ディスク装置１の初期化動作を示すフローチャートである。
光ディスク装置１の電源が投入されると（ステップＳ１）、マイクロコンピュータ４７が、予め記憶しているプログラムを実行してキャリッジ７１に対する制御を開始する。そして、マイクロコンピュータ４７は、まず、キャリッジ７１の位置など光ディスク装置１の状態を認識する（ステップＳ２）。
【００７２】
次に、マイクロコンピュータ４７は、キャリッジ７１を内周側の限界点（初期位置）まで移動させる（ステップＳ３）。
ステップＳ３において、マイクロコンピュータ４７は、まず、キャリッジ７１の内周側への移動を開始させる（ステップＳ３１０）。
【００７３】
例えば、マイクロコンピュータ４７は、移動量カウンタ７７のカウント値として、キャリッジ７１の可動距離以上の移動量を内周側へ移動させることを示す値（例えば、当該移動量のマイナス値）を予め（図９の処理開始前に）記憶しておき、当該カウント値を移動量カウンタ７７に出力する。そして、移動量カウンタ７７は、自らのカウント値として当該カウント値を設定する（書き込む）。すると、キャリッジ駆動回路７８は、移動量カウンタ７７のカウント値が負の値になっていることに応じて、キャリッジ７１を光ディスク１０の内周側へ移動させる。
【００７４】
ここで、キャリッジ７１の初期位置は、キャリッジ７１が光ディスク１０の内周側へ移動可能な限界点に設定されている。キャリッジ７１が、光ディスク１０の内周側へ移動可能な限界点に到達して停止することで、モーションジェネレータ７３が矩形波を出力しなくなる。
そこで、ポジションカウンタ７６は、モーションジェネレータ７３からの出力の有無を判定する（ステップＳ３２０）。モーションジェネレータ７３からの出力が無いことを検出することで、ポジションカウンタ７６は、キャリッジ７１が初期位置に到達したことを検出する。
【００７５】
ステップＳ３２０において、モーションジェネレータ７３からの出力有りと判定した場合（ステップＳ３２０：ｙｅｓ）、ステップＳ３２０に戻る。
一方、モーションジェネレータ７３からの出力無しと判定した場合（ステップＳ３２０：ｎｏ）、ポジションカウンタ７６は、自らの記憶するポジションカウント値を０に設定する（ステップＳ３３０）。すなわち、キャリッジ７１が初期位置に到達したことを検出すると、ポジションカウンタ７６は、ポジションカウント値をゼロクリアする。このポジションカウント値「０」は、キャリッジ７１が初期位置（光ディスク１０の内周側へ移動可能な限界点）にあることを示す値である。
ポジションカウント値が０になると、マイクロコンピュータ４７は、当該ポジションカウント値に基づいて、キャリッジ７１を内周側へ移動させる制御を終了する（ステップＳ３４０）。
【００７６】
ステップＳ３の後、マイクロコンピュータ４７は、光ヘッド２０が光ディスク１０の校正領域Ａ１１（図２）に位置するようにキャリッジ７１を移動させる（ステップＳ３５０）。
ステップＳ３５０において、マイクロコンピュータ４７は、まず、移動量カウンタ７７に、キャリッジ７１の初期位置から校正領域Ａ１１までの移動量（本実施形態では、１６進表現で「０Ｆ４０」）を示すカウント値を設定する（ステップＳ３５１）。具体的には、マイクロコンピュータ４７が、移動量「０Ｆ４０」を予め記憶しておき、当該移動量を移動量カウンタ７７に出力する。そして、移動量カウンタ７７は、自らのカウント値として当該移動量を設定する（書き込む）。
【００７７】
次に、キャリッジ駆動回路７８が、キャリッジ７１を校正領域Ａ１１へ低速移動させる（ステップＳ３５２）。具体的には、キャリッジ駆動回路７８は、移動量カウンタ７７のカウント値が正の値になっていることに応じて、キャリッジ７１を光ディスク１０の外周側へ移動させる。キャリッジ７１の移動に伴って、モーションジェネレータ７３が矩形波を出力し、移動量カウンタ７７は、当該矩形波に基づいて自らのカウント値を減少させる。そして、キャリッジ駆動回路７８は、移動量カウンタ７７のカウント値が０になるまで、キャリッジ７１の移動を継続させる。
【００７８】
移動量カウンタ７７のカウント値が０になると、キャリッジ駆動回路７８は、キャリッジ７１を停止させる。また、移動量カウンタ７７は、割り込み信号ＩＮＴをマイクロコンピュータ４７に出力し、マイクロコンピュータ４７は、当該割り込み信号ＩＮＴに応じて割り込み処理プログラムを実行する。そして、マイクロコンピュータ４７は、当該割り込み処理において、キャリッジが校正領域付近に位置づけられているか否かの判定（確認）を行う（ステップＳ３５３）。
【００７９】
ステップＳ３５３において、キャリッジが校正領域付近に位置づけられていないと判定した場合（ステップＳ３５３：ｎｏ）、マイクロコンピュータ４７は、タイムアウト（例えば３秒）を待ってエラー処理を実行する。
一方、キャリッジが校正領域付近に位置づけられていると判定した場合（ステップＳ３５３：ｙｅｓ）、光ディスク装置１は、光ディスク１０が装填されたことを検出するまで処理待ち状態となる（ステップＳ３６１）。
【００８０】
光ディスクが装填されたことを検出すると、マイクロコンピュータ４７は、ポジションカウンタ７６の値が校正領域Ａ１１付近を示しているか否かを判定（確認）する（ステップＳ３６２）。例えば、光ディスク装置１の具備する光ディスク検出用センサが、光ディスク１０が装填されたことを検出して割り込み信号ＩＮＴをマイクロコンピュータ４７に出力し、割り込み信号ＩＮＴの出力を受けたマイクロコンピュータ４７は、上記の判定を行う。
【００８１】
校正領域付近を示していないと判定した場合（ステップＳ３６２：ｎｏ）、光ディスク装置１は、エラー処理にてステップＳ３およびＳ３５０を再実行し、キャリッジ７１の校正領域への移動を試みる。
一方、ポジションカウンタ７６の値が校正領域Ａ１１付近を示していると判定した場合（ステップＳ３６２：ｙｅｓ）、マイクロコンピュータ４７が、焦点引き込み操作プログラムを読み出して実行することで、焦点ずれの校正および焦点の引き込みを行う（ステップＳ３６３）。
【００８２】
具体的には、まず、マイクロコンピュータ４７は、初期焦点合わせ回路４８のＤＡ変換器出力値を、自動焦点合わせ開始電位Ｖｓｐレベルを示すＶｏｐ出力となるように調整する。
Ｖｏｐ出力を検出すると、次に、マイクロコンピュータ４７は、焦点レベル生成器４５が焦点方向駆動アンプ５０に信号を出力するようにアナログスイッチ４９を切り替える。そして、マイクロコンピュータ４７は、合焦位置補正バイアス生成器４４へのバイアスデータを変化させて対物レンズ２５を移動させ、光センサ信号電位Ｖｓが合焦時のレベルＶｓｘになるよう調整する。
【００８３】
光センサ信号電位Ｖｓが合焦時のレベルＶｓｘになり、かつ、反射光ピークレベル判定器４３のＡＤ変換器出力にて校正領域Ａ１１からの反射光のピークレベル値の変化点を確認すると、マイクロコンピュータ４７は、対物レンズ２５が合焦点に至ったと判定し、焦点ずれの校正および焦点の引き込みを完了する。そして、焦点合わせ制御回路４０は、合焦位置を維持する閉回路：光センサ２６出力→前置増幅器３０→低域フィルタ４１→焦点レベル生成器４５→アナログスイッチ４９→焦点方向駆動アンプ５０→焦点方向駆動コイル２７→対物レンズ２５→光センサ２６にて対物レンズ２５の位置制御を行う。
【００８４】
その後、図９の処理を終了し、続いて光ディスク装置１は、ポジションマップ生成処理を行う。なお、光ディスク装置１が、同じ光ディスク１０の装填を前回受けた際に生成したポジションマップを記憶しておき、当該ポジションマップを用いることでポジションマップ生成処理を省略可能としてもよい。
【００８５】
図１０は、光ディスク装置１がポジションマップを生成する処理手順を示すフローチャートである。
同図の処理において、まず、マイクロコンピュータ４７が、対物レンズ２５の現在位置（光ディスク１０の校正領域Ａ１１）から、光ディスク１０外周側へ移動可能な限界点（可動限界点、Outer Limit）までの移動量を移動量カウンタ７７にセットする（ステップＳ５１１）。そして、キャリッジ駆動回路７８は、移動量カウンタ７７のカウント値に基づいて、光ディスク１０の外周側への、対物レンズ２５（キャリッジ７１）の低速移動を開始させる（ステップＳ５１２）。
【００８６】
対物レンズが光ディスク１０の外周側へ低速移動している状態において、ポジションマップ回路７９は、ポジションマップのアドレスを算出する（ステップＳ５１３）。具体的には、ポジションマップ回路７９は、ポジションカウンタ７６からのポジションカウント値と、スピンドルモータ８０のエンコーダ出力に基づくエンコーダ出力カウント値とを組み合わせて、ポジションマップのアドレスとする。
【００８７】
そして、ポジションマップ回路７９は、ポジションマップの、ステップＳ５１３で算出したアドレスに、そのときの光センサ信号Ｖｓのレベルとして、電位Ｖｏの値を書き込む（ステップＳ５１４）。この電位Ｖｏの値は、低域フィルタ４１を通過した光センサ信号Ｖｓの低周波成分に基づいて、焦点レベル生成器４５が出した電位Ｖｏの値を、レンズ位置判定回路４６のＡＤ変換器が数値化（デジタルデータ化）したものである。
【００８８】
次に、マイクロコンピュータ４７は、ポジションカウンタ７６の値に基づいて、対物レンズ２５が光ディスク１０の外周側の可動限界点に到達したか否かを判定する（ステップＳ５１５）。到達したと判定した場合（ステップＳ５１５：ｙｅｓ）、同図の処理を終了する。
【００８９】
一方、対物レンズ２５が光ディスクの外周部の可動限界点に到達していないと判定した場合（ステップＳ５１５：ｎｏ）、マイクロコンピュータ４７は、光センサ信号Ｖｓの電位がＶｓｐ未満か否かを判定する（ステップＳ５２１）。具体的には、マイクロコンピュータ４７は、「Ｖｓｐ＞」検出回路５１の出力に基づいて当該判定を行う。
【００９０】
光センサ信号Ｖｓの電位がＶｓｐ以上であると判定した場合（ステップＳ５２１：ｎｏ）、ステップＳ５１３に戻る。
一方、光センサ信号Ｖｓの電位がＶｓｐ未満であると判定した場合（ステップＳ５２１：ｙｅｓ）、マイクロコンピュータ４７は、アナログスイッチ４９を初期焦点合わせ回路４８側へ切り替える（ステップＳ５３１）。そして、初期焦点合わせ回路４８の出力信号を、アナログスイッチ４９が焦点方向駆動アンプ５０に伝達することで、焦点合わせ制御回路４０は、対物レンズ２５の焦点方向の位置を、自動焦点合わせ開始位置に固定する（ステップＳ５３２）。
【００９１】
このように、対物レンズ２５（キャリッジ７１が）外周部の可動限界点に移動するまで、ポジションマップへの記憶処理が続けられ、途中で、光センサ信号電位Ｖｓが自動焦点合わせ開始電位Ｖｓｐより低下すると、対物レンズ２５の焦点方向の位置が焦点制御範囲から外れない状態が保たれる。
【００９２】
次に、マイクロコンピュータ４７は、ポジションカウンタ７６の値に基づいて、対物レンズ２５が光ディスクの外周部の可動限界点に到達したか否かを判定する（ステップＳ５３３）。到達したと判定した場合（ステップＳ５３３：ｙｅｓ）、同図の処理を終了する。
一方、対物レンズ２５が光ディスクの外周部の可動限界点に到達していないと判定した場合（ステップＳ５３３：ｎｏ）、ポジションマップ回路７９は、ステップＳ５１３の場合と同様、ポジションマップのアドレスを算出する（ステップＳ５４１）。
【００９３】
そして、ポジションマップ回路７９は、ステップＳ５１４の場合と同様、ポジションマップの、ステップＳ５４１で算出したアドレスに、そのときの光センサ信号Ｖｓのレベルとして、電位Ｖｏの値を書き込む（ステップＳ５４２）。
ただし、ここでは、光センサ信号Ｖｓの電位は、対物レンズ２５の自動焦点合わせ可能な電位の下限値（自動焦点合わせ開始電位Ｖｓｐ）未満となっており、ポジションマップ回路７９は、当該電位を示すデータをポジションマップに書き込む。すなわち、ポジションマップ回路７９は、自動焦点合わせ不可であることを示すデータをポジションマップに書き込む。
【００９４】
次に、マイクロコンピュータ４７は、ステップＳ５２１の場合と同様、光センサ信号Ｖｓの電位がＶｓｐ未満か否かを判定する（ステップＳ５４３）。
【００９５】
光センサ信号Ｖｓの電位がＶｓｐ未満であると判定した場合（ステップＳ５４３：ｙｅｓ）、ステップＳ５３３に戻る。
一方、光センサ信号Ｖｓの電位がＶｓｐ以上であると判定した場合（ステップＳ５４３：ｎｏ）、マイクロコンピュータ４７は、アナログスイッチ４９を焦点レベル生成器４５側へ切り替える（ステップＳ５５１）。この切替にて、焦点合わせ制御回路４０は、対物レンズ２５の焦点方向位置固定を解除し、再び自動焦点合わせを行う。
その後、ステップＳ５１２に戻る。
【００９６】
このように、光センサ信号Ｖｓの電位がＶｓｐ以上に復帰すると、焦点合わせ制御回路４０は、自動焦点合わせを再開し、ポジションマップ回路７９は、ポジションマップへのＶｏデータ書込みを継続する。
【００９７】
図１１は、光ディスク装置１が、光ディスク１０の記録再生領域Ａ１２に対するアクセス（データ書込や読出）を行う際の処理手順を示すフローチャートである。
同図の処理において、まず、マイクロコンピュータ４７が、データの先頭位置までの移動量を求めて移動量カウンタに設定し、キャリッジ７１（特に対物レンズ２５）は、データの先頭位置へと移動する（ステップＳ６１１）。
【００９８】
次に、マイクロコンピュータ４７は、データの末尾位置までの移動量を求めて移動量カウンタに設定し、キャリッジ７１（特に対物レンズ２５）は、データの末尾位置への移動を開始する（ステップＳ６１２）。具体的には、対物レンズ２５が、光ディスク１０の外周側へ低速移動する。
【００９９】
次に、マイクロコンピュータ４７は、データの書込または読出を終了したか否かを判定する（ステップＳ６１３）。終了したと判定した場合（ステップＳ６１３：ｙｅｓ））、同図の処理を終了する。
一方、データの書込または読出を終了していないと判定した場合（ステップＳ６１３：ｎｏ））、ポジションマップ回路７９は、図１０のステップＳ５１３の場合と同様、ポジションマップのアドレスを算出する（ステップＳ６２１）。
【０１００】
そして、ポジションマップ回路７９は、ステップＳ６２１で算出したアドレスに基づいて、ポジションマップからデータを読み出し、マイクロコンピュータ４７に出力する（ステップＳ６２２）。
そして、マイクロコンピュータ４７は、ポジションマップ回路７９からのデータに基づいて、自動焦点合わせを実行可能か否かを判定する（ステップＳ６２３）。具体的には、マイクロコンピュータ４７は、ポジションマップ回路７９からのデータの示す光センサ信号Ｖｓの電位に基づいて、当該電位がＶｓｐ未満の場合は自動焦点合わせを実行不可と判定し、Ｖｓｐ以上の場合は自動焦点合わせを実行可能と判定する。
【０１０１】
自動焦点合わせ可能と判定した場合（ステップＳ６２３：ｙｅｓ）、光ディスク装置１は、光ディスク１０の当該位置に対してデータの書込または読出を行う（ステップＳ６３１）。
その後、ステップＳ６１３に戻る。
【０１０２】
一方、自動焦点合わせ不可と判定した場合（ステップＳ６２３：ｎｏ）、マイクロコンピュータ４７は、アナログスイッチ４９を初期焦点合わせ回路４８側へ切り替える（ステップＳ６４１）。そして、初期焦点合わせ回路４８の出力信号を、アナログスイッチ４９が焦点方向駆動アンプ５０に伝達することで、焦点合わせ制御回路４０は、対物レンズ２５の焦点方向の位置を、自動焦点合わせ開始位置に固定する（ステップＳ６４２）。
【０１０３】
次に、マイクロコンピュータ４７は、ステップＳ６２１の場合と同様、光センサ信号Ｖｓの電位がＶｓｐ未満か否かを判定する（ステップＳ６４３）。光センサ信号Ｖｓの電位がＶｓｐ未満であると判定した場合（ステップＳ６４３：ｙｅｓ）、ステップＳ６４３に戻る。すなわち、光ディスク装置１は、光ディスク１０のアクセス位置がダメージ領域を通過するのを待ち受ける。
【０１０４】
一方、光センサ信号Ｖｓの電位がＶｓｐ以上であると判定した場合（ステップＳ６４３：ｎｏ）、マイクロコンピュータ４７は、アナログスイッチ４９を焦点レベル生成器４５側へ切り替える（ステップＳ６５１）。この切替にて、焦点合わせ制御回路４０は、対物レンズ２５の焦点方向位置固定を解除し、再び自動焦点合わせを行う。
その後、ステップＳ６１３に戻る。
【０１０５】
このように、光ディスク１０の記録再生領域Ａ１２に対するデータ書込や読出を行う場合、光ディスク装置１は、ポジションマップに記憶されたダメージ領域（Ｖｏ値が所定のレベルから外れる箇所）を避けてデータ書込や読出を行う。
【０１０６】
以上のように、光ディスク１０に対するデータ書込または読出を行う際、アナログスイッチ４９は、ポジションマップの値に基づいて（マイクロコンピュータ４７の制御に従って）、焦点方向駆動アンプへの接続経路を切り替える。当該切替にて、アナログスイッチ４９は、ポジションマップが自動焦点合わせ可能を示す場合は、焦点制御部に自動焦点合わせを行わせる。一方、ポジションマップが自動焦点合わせ不可を示す場合、アナログスイッチ４９は、制御可能位置確保部に、焦点制御部が自動焦点合わせ可能な範囲内に対物レンズ２５を位置させる処理を行わせる。
【０１０７】
従って、光ディスク装置１では、光ディスク１０のダメージ領域を回避するように光ピックアップのビームスポットを移動させずとも、ダメージ領域通過を待って自動焦点合わせを再開し、データ書込や読出を行うことができる。
よって、経年劣化や傷、保管環境による反射率の変化、あるいは破損などの影響で、焦点合わせを確実に行うことが出来ない部分のある光ディスクに対しても、より安定的にデータの記録や再生を行うことができ、かつ、データの記録要求または再生要求に対する応答の遅延を低減させることができる。
【０１０８】
また、ポジションマップを生成する際、アナログスイッチ４９は、「Ｖｓｐ＞」検出回路５１の出力に基づいて（マイクロコンピュータ４７の制御に従って）、焦点方向駆動アンプへの接続経路を切り替える。当該切替にて、アナログスイッチ４９は、「Ｖｓｐ＞」検出回路５１の出力が自動焦点合わせ可能を示す場合は、焦点制御部に自動焦点合わせを行わせる。一方、「Ｖｓｐ＞」検出回路５１の出力が自動焦点合わせ不可を示す場合、アナログスイッチ４９は、制御可能位置確保部に、焦点制御部が自動焦点合わせ可能な範囲内に対物レンズ２５を位置させる処理を行わせる。
【０１０９】
従って、光ディスク１０に対するデータ書込や読出の場合と同様、光ディスク装置１では、光ディスク１０のダメージ領域を回避するように光ピックアップのビームスポットを移動させずとも、ダメージ領域通過を待って自動焦点合わせを再開し、ポジションマップを生成できる。このように、光ディスク装置１は、より迅速にポジションマップを生成できる。
【０１１０】
また、ポジションカウンタ７６は、キャリッジ７１の移動量に応じてモーションジェネレータ７３が出力する矩形波を計数することで、キャリッジ７１（対物レンズ２５）の、光ディスク１０の半径方向における位置を検出する。
従って、例えば光ディスク１０からのデータ読出速度に基づいて対物レンズの位置を算出する方法（光ディスクの外周側ほど１周の長さが長くなり、データ読出速度が速くなる）と比較して、より簡単に、かつ、より正確に対物レンズ２５の位置を求めることができる。さらに、このポジションカウンタ７６が求めた位置に基づいてポジションマップの生成やポジションマップからのデータ読出を行うことで、より簡単に、かつ、より正確に、ポジションマップの生成やポジションマップからのデータ読出を行うことができる。
【０１１１】
次に図１２を参照して、本発明の最小構成について説明する。
図１２は、本発明の最小構成を示す概略ブロック図である。同図において、光ディスク装置１００は、レーザ光発生器２１と、対物レンズ２５と、光センサ２６と、焦点制御部１４５と、合焦レベル数値化部１４６と、制御可能／不可位置判定部１４７と、制御可能位置確保部１４８と、制御切替部１４９と、レンズ駆動部１５０と、半径位置情報生成部１７６と、数値化データ記憶部１７９と、回転角情報生成部１８０とを具備する。
【０１１２】
同図において、図３の各部に対応して同様の機能を有する部分には同一の符号（２１、２５、２６）を付している。
また、レンズ駆動部１５０は、焦点方向駆動コイル２７と同様、対物レンズ２５を光ディスクの記録面に対して垂直方向に移動させる。
【０１１３】
また、焦点制御部１４５は、上述した低域フィルタ４１と、焦点レベル生成器４５と、アナログスイッチ４９と、焦点方向駆動アンプ５０との組み合わせと同様、光センサ２６が検出した反射レーザ光の強度に応じて、レンズ駆動部１５０に、対物レンズ２５を光ディスクの記録面に対して垂直方向に移動させて、レーザ光の焦点位置を光ディスクの記録面に合わせる制御を行う。
【０１１４】
また、制御可能位置確保部１４８は、上述したレンズ位置判定回路４６と、マイクロコンピュータ４７と、初期焦点合わせ回路４８と、アナログスイッチ４９と、焦点方向駆動アンプ５０との組み合わせと同様、レンズ駆動部１５０に、焦点制御部１４５が制御可能な範囲内に対物レンズ２５を位置させる
【０１１５】
また、合焦レベル数値化部１４６は、上述した焦点レベル生成器４５と、レンズ位置判定回路４６とのとの組み合わせと同様、対物レンズ２５からの照射光が光ディスクの記録面に合焦している度合いを数値化した数値化データを生成する。
また、半径位置情報生成部１７６は、ポジションカウンタ７６と同様、光ディスクの半径方向の位置を示す半径位置情報を生成する。
【０１１６】
また、回転角情報生成部１８０は、上述したスピンドルモータ８０と、ポジションマップ回路７９のカウンタとの組み合わせと同様、光ディスクの回転角を示す回転角情報を生成する。
また、数値化データ記憶部１７９は、ポジションマップ回路７９と同様、数値化データ記憶部１７９は、半径位置情報と回転角情報とで特定される光ディスクの位置における数値化データと、当該半径位置情報と当該回転角情報とを対応付けて記憶する。
【０１１７】
また、制御可能／不可位置判定部１４７は、マイクロコンピュータ４７と同様、光ディスクの記録面における対物レンズ２５が集光したレーザ光の照射位置について、半径位置情報生成部１７６が生成した半径位置情報と、回転角情報生成部１８０が生成した回転角情報とに基づいて、数値化データ記憶部１７９から数値化データを読み出し、読み出した数値化データに基づいて、焦点制御部１４５の制御の可否を判定する。
【０１１８】
また、制御切替部１４９は、アナログスイッチ４９と同様、制御可能／不可位置判定部１４７が、焦点制御部１４５の制御可能と判定した場合は、焦点制御部１４５に制御を行わせ、焦点制御部１４５の制御不可と判定した場合は、制御可能位置確保部１４８に、対物レンズ２５を、焦点制御部１４５が制御可能な範囲内に位置させる処理を行わせる。
【０１１９】
この構成において、光ディスク装置１の場合と同様、光ディスクに対するデータ書込または読出を行う際、制御可能／不可位置判定部１４７が、数値化データに基づいて、焦点制御部１４５の制御の可否を判定する。そして、制御可能／不可位置判定部１４７が、焦点制御部１４５の制御不可と判定したときは、制御切替部１４９が、制御可能位置確保部１４８に、対物レンズ２５を、焦点制御部１４５が制御可能な範囲内に位置させる処理を行わせる。
【０１２０】
従って、光ディスクのダメージ領域を回避するように光ピックアップのビームスポットを移動させずとも、ダメージ領域通過を待って自動焦点合わせを再開し、データ書込や読出を行うことができる。
よって、経年劣化や傷、保管環境による反射率の変化、あるいは破損などの影響で、焦点合わせを確実に行うことが出来ない部分のある光ディスクに対しても、より安定的にデータの記録や再生を行うことができ、かつ、データの記録要求または再生要求に対する応答の遅延を低減させることができる。
【０１２１】
なお、焦点合わせ制御回路４０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１２２】
以上、本発明の実施形態について図面を参照して詳述してきたが、具体的な構成はこの実施形態に限られるものではなく、この発明の要旨を逸脱しない範囲の設計変更等も含まれる。
【０１２３】
上記の実施形態の一部または全部は、以下の付記のようにも記載され得るが、以下には限られない。
【０１２４】
（付記１）レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御部と、前記レンズ駆動部に、前記焦点制御部が制御可能な範囲内に前記対物レンズを位置させる制御可能位置確保部と、前記対物レンズからの照射光が前記光ディスクの記録面に合焦している度合いを数値化した数値化データを生成する合焦レベル数値化部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御部の制御の可否を判定する制御可能／不可位置判定部と、前記制御可能／不可位置判定部が、前記焦点制御部の制御可能と判定した場合は、前記焦点制御部に前記制御を行わせ、前記焦点制御部の制御不可と判定した場合は、前記制御可能位置確保部に、前記対物レンズを、前記焦点制御部が制御可能な範囲内に位置させる処理を行わせる制御切替部と、を具備することを特徴とする光ディスク装置。
【０１２５】
（付記２）前記制御可能／不可位置判定部は、前記数値化データ記憶部が前記数値化データを記憶する際、前記合焦レベル数値化部が生成した前記数値化データに基づいて、前記焦点制御部の制御の可否を判定することを特徴とする付記１に記載の光ディスク装置。
【０１２６】
（付記３）前記対物レンズを前記光ディスクの半径方向に移動させる半径方向移動部を具備し、前記半径位置情報生成部は、前記半径方向移動部が前記対物レンズを前記光ディスクの半径方向に移動させた移動量に基づいて、前記光ディスクの半径方向における前記対物レンズの位置を検出することを特徴とする付記１または２に記載の光ディスク装置。
【０１２７】
（付記４）レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、を具備する光ディスク装置の対物レンズ制御方法であって、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、前記レンズ駆動部に、前記焦点制御にて制御可能な範囲内に前記対物レンズを位置させる制御可能位置確保ステップと、前記対物レンズからの照射光が前記光ディスクの記録面に合焦している度合いを数値化した数値化データを生成する合焦レベル数値化ステップと、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、を具備することを特徴とする対物レンズ制御方法。
【０１２８】
（付記５）レーザ光を出力するレーザ光発生器と、前記レーザ光発生器が出力した前記レーザ光を集光する対物レンズと、前記対物レンズが集光した前記レーザ光が光ディスクにて反射した反射レーザ光の強度を検出する光センサと、前記対物レンズを光ディスクの記録面に対して垂直方向に移動させるレンズ駆動部と、前記光ディスクの半径方向の位置を示す半径位置情報を生成する半径位置情報生成部と、前記光ディスクの回転角を示す回転角情報を生成する回転角情報生成部と、前記半径位置情報と前記回転角情報とで特定される前記光ディスクの位置における前記数値化データと、当該半径位置情報と当該回転角情報とを対応付けて記憶する数値化データ記憶部と、を具備する光ディスク装置を制御するコンピュータに、前記光センサが検出した前記反射レーザ光の強度に応じて、前記レンズ駆動部に、前記対物レンズを光ディスクの記録面に対して垂直方向に移動させて、前記レーザ光の焦点位置を前記光ディスクの記録面に合わせる制御を行う焦点制御ステップと、前記レンズ駆動部に、前記焦点制御にて制御可能な範囲内に前記対物レンズを位置させる制御可能位置確保ステップと、前記対物レンズからの照射光が前記光ディスクの記録面に合焦している度合いを数値化した数値化データを生成する合焦レベル数値化ステップと、前記光ディスクの記録面における前記対物レンズが集光した前記レーザ光の照射位置について、前記半径位置情報生成部が生成した前記半径位置情報と、前記回転角情報生成部が生成した前記回転角情報とに基づいて、前記数値化データ記憶部から前記数値化データを読み出し、読み出した前記数値化データに基づいて、前記焦点制御ステップでの制御の可否を判定する制御可能／不可位置判定ステップと、前記制御可能／不可位置判定ステップにて、前記焦点制御ステップでの制御可能と判定した場合は、前記焦点制御ステップにおける前記制御を行い、前記焦点制御ステップでの制御不可と判定した場合は、前記制御可能位置確保ステップにおける、前記対物レンズを、前記焦点制御ステップにて制御可能な範囲内に位置させる処理を行う制御切替ステップと、を実行させるためのプログラム。
【符号の説明】
【０１２９】
１、１００  光ディスク装置
２０  光ヘッド
２１  レーザ光発生器
２２  回折格子
２３  ハーフミラー
２４  コリメータレンズ
２５  対物レンズ
２６  光センサ
２７  焦点方向駆動コイル
２８  トラック方向駆動コイル
３０  前置増幅器
４０  焦点合わせ制御回路
４１  低域フィルタ
４２  高域フィルタ
４３  反射光ピークレベル判定器
４４  合焦位置補正バイアス生成器
４５  焦点レベル生成器
４６  レンズ位置判定回路
４７  マイクロコンピュータ
４８  初期焦点合わせ回路
４９  アナログスイッチ
５０  焦点方向駆動アンプ
５１  自動焦点合わせ開始電位以下検出回路
６０  トラック制御回路
７１  キャリッジ
７２  キャリッジガイドレール
７３  モーションジェネレータ
７４  フレキシケーブル
７５  波形整形回路
７６  ポジションカウンタ
７７  移動量カウンタ
７８  キャリッジ駆動回路
７９  ポジションマップ回路
８０  スピンドルモータ
１４５  焦点制御部
１４６  合焦レベル数値化部
１４７  制御可能／不可位置判定部
１４８  制御可能位置確保部
１４９  制御切替部
１５０  レンズ駆動部
１７６  半径位置情報生成部
１７９  数値化データ記憶部
１８０  回転角情報生成部
【図１】
2013152773.tif 000003
【図２】
2013152773.tif 000004
【図３】
2013152773.tif 000005
【図４】
2013152773.tif 000006
【図５】
2013152773.tif 000007
【図６】
2013152773.tif 000008
【図７】
2013152773.tif 000009
【図８】
2013152773.tif 000010
【図９】
2013152773.tif 000011
【図１０】
2013152773.tif 000012
【図１１】
2013152773.tif 000013
【図１２】
2013152773.tif 000014